(57)【要約】      （修正有）【課題】裏側スペースが狭い既存の壁板にも設置でき、設置に電気工事の資格が不要で簡単に設置可能なＵＳＢ電源装置を提供する。【解決手段】交流商用電力を入力してＵＳＢ規格の直流電力を出力するＵＳＢ電源装置１０である。端末装置１００のＵＳＢケーブル１０１が接続可能であるＵＳＢ給電ポートを備えており、壁部材に設置した状態でＵＳＢ給電ポートが壁部材７０の壁面に露出された状態で配置可能なナット部材２３で壁部材７０に固定される壁配置端子ユニット２０と、この壁配置端子ユニットに直流電力を供給する直流電源ケーブル４０と、交流商用電力が入力され、直流電源ケーブル４０に直流電力を供給するＡＣアダプタ３０と、先端に商用電源コンセントに接続可能な電源プラグ６２を備えた交流電源ケーブル６０と、を備える。【選択図】図１
0003211383.tif 000002
【実用新案登録請求の範囲】
【請求項１】
交流商用電力を入力してＵＳＢ規格の直流電力を出力するＵＳＢ電源装置であって、
外部装置の給電コネクタが接続可能である給電ポート部材を備え、壁部材に設置された状態で前記給電ポート部材が前記壁部材の壁面に露出された状態で配置される壁配置端子ユニットと、
この壁配置端子ユニットに前記直流電力を供給する直流電源ケーブルと、
前記交流商用電力が入力され、前記直流電源ケーブルに前記直流電力を供給するＡＣ―ＤＣ電源装置と、
先端に商用電源コンセントに接続可能な電源プラグを備え、前記ＡＣ―ＤＣ電源に商用電力を供給する交流電源ケーブルと、
を備えることを特徴とするＵＳＢ電源装置。
【請求項２】
前記直流電源ケーブルは、壁配置端子ユニット側ケーブルと、ＡＣ−ＤＣ電源装置側ケーブルとに分割され、両ケーブルを接続コネクタで連結するものであり、
前記接続コネクタは抜け止め機構を備えることを特徴とする請求項１に記載のＵＳＢ電源装置。
【請求項３】
前記壁配置端子ユニットの壁取付部材は、前記壁に開設された孔部に挿入される挿入部と、前記挿入部を前記孔部に配置した状態で固定する固定部材を備えることを特徴とする請求項１に記載のＵＳＢ電源装置。
【請求項４】
前記壁配置端子ユニットは、筒型であり壁面からの露出される側の端面に前記給電ポート部材が１又は２以上配置されていることを特徴とする請求項１に記載のＵＳＢ電源装置。
【請求項５】
前記給電ポート部材は、両面接続型であることを特徴とする請求項１に記載のＵＳＢ電源装置。
【考案の詳細な説明】
【技術分野】
【０００１】
本考案は、給電用のＵＳＢポートを壁面に配置するための電源装置に関する。
【背景技術】
【０００２】
今日、ミュージックプレーヤー、スマートフォン、タブレット型コンピュータ等の携帯端末のデータ伝送、給電の規格としてＵＳＢ（Universal Serial Bus）インターフェースが普及している。そこで、上述した携帯端末には、外部からの給電や、バッテリーの充電のため、ＡＣ商用電力からＵＳＢ規格の直流電力を生成するＵＳＢ充電装置（いわゆるＡＣアダプタ）が付属しており、この携帯端末の受電用のＵＳＢポートと、ＵＳＢ充電装置の給電用のＵＳＢポートとを所定のコネクタを備えるＵＳＢケーブルで接続する。
【０００３】
また、ＡＣアダプタを使用せずに携帯端末に給電するため、壁面にＵＳＢの給電ポートを設置することがある。壁面としては、室内の壁、ベッドのヘッドボード、テーブルなどが利用される。室内の壁やベッドのヘッドボードに給電ポートを設置しておくと、携帯端末の利用者がＡＣアダプタを持参せずに済むし、また、ホテル等ではＡＣアダプタの貸し出しを行う手間を省くことができる。
【０００４】
このようなＵＳＢ電源装置として、壁面に取付けたＵＳＢポートの裏側には商用電力からＵＳＢ規格のＤＣ電力を供給するＡＣ−ＤＣコンバータが配置され、このＡＣ−ＤＣコンバータから電力を供給しているものがある。
【０００５】
特許文献１には、コンセントのコンセント電源部にＡＤ−ＤＣコンバータを内蔵し、コンセント電源の出力を直流電圧にするようにし、前記コンセントが壁部埋め込み形式であるＵＳＢ電源装置が記載されている。
【０００６】
また、特許文献２には、壁の所定区域に取付けられ、固定ケースとＵＳＢハブソケットを有し、ＵＳＢハブコンセントは固定ケース内部に取付けられ、伝送ソケット及び電源プラグを包含する。プリント基板は該ケース内部に位置し、電源モジュールとハブモジュールを備えている。伝送ソケットはハブモジュールに電気的に接続され、電源プラグは該電源モジュールに電気的に接続される。ＵＳＢソケットは壁型コンセントの化粧板規格に符合し、既存のＡＣ電源ソケットを直接組み合わせられるＵＳＢ電源装置が記載されている。
【先行技術文献】
【特許文献】
【０００７】
【特許文献１】特開２０１３−２２９２５９号公報
【特許文献２】特開平１０−１４４４２５号公報
【考案の概要】
【考案が解決しようとする課題】
【０００８】
しかし、従来のＵＳＢ給電装置は、壁面に給電ポートを備えたＵＳＢ電源を直接配置するものであるため、既存の壁面、例えば室内の壁面やベッドのヘッドボードに設置する場合、壁面の裏側にＡＣ−ＤＣアダプタを配置する充分なスペースが必要である。また、壁面へのＵＳＢ電源の設置には、ＡＣ商用電力が直接接続されるため、電気工事の資格が必要となる。
【０００９】
本考案は上述した課題に鑑みてなされたものであり、裏側スペースが狭い既存の壁板にも設置でき、設置に電気工事の資格が不要で簡単に設置できるＵＳＢ電源装置を提供することを目的とする。
【課題を解決するための手段】
【００１０】
前記課題を解決する請求項１に記載の考案は、交流商用電力を入力してＵＳＢ規格の直流電力を出力するＵＳＢ電源装置であって、外部装置の給電コネクタが接続可能である給電ポート部材を備え、壁部材に設置された状態で前記給電ポート部材が前記壁部材の壁面に露出された状態で配置される壁配置端子ユニットと、この壁配置端子ユニットに前記直流電力を供給する直流電源ケーブルと、前記交流商用電力が入力され、前記直流電源ケーブルに前記直流電力を供給するＡＣ―ＤＣ電源装置と、先端に商用電源コンセントに接続可能な電源プラグを備え、前記ＡＣ―ＤＣ電源に商用電力を供給する交流電源ケーブルと、を備えることを特徴とするＵＳＢ電源装置である。
本考案によれば、壁配置端子ユニットを壁に配置し、壁配置端子ユニットとＡＣ−ＤＣ電源装置とを直流電源ケーブルで接続し、さらにＡＣ−ＣＤ電源装置に交流電源ケーブルを接続し、電源プラグを商用電源の商用電源コンセントに接続すると、商用電源コンセントからの交流商用電力は、交流電源ケーブルでＡＣ−ＤＣ電源装置に入力され、ＵＳＢ規格の直流電力に変換され、さらに直流電源ケーブルで壁配置端子ユニットに入力され、給電ポートから給電ができる状態となる。
よって、既存の壁に壁配置端子ユニットを配置し、壁の裏側スペースにＡＣ−ＤＣ電源装置を配置し、さらに商用電源コンセントに電源プラグを差し込むだけの簡単な操作により壁にＵＳＢ給電ポートを配置でき、しかもこの取付けには電気工事の資格が不要である。
【００１１】
同じく請求項２に記載の考案は、前記直流電源ケーブルは、壁配置端子ユニット側ケーブルと、ＡＣ−ＤＣ電源装置側ケーブルとに分割され、両ケーブルを接続コネクタで連結するものであり、前記接続コネクタは抜け止め機構を備えることを特徴とする。
本考案によれば、直流電源ケーブルは壁配置端子ユニット側ケーブルと、ＡＣ−ＤＣ電源装置側ケーブルとを接続コネクタで接続して使用され、この接続コネクタは抜け止め機構を備える。
このため、狭いスペース若かない既存の壁に壁配置端子ユニットを、長い直流電源ケーブルを引き回すことなく設置できる他、接続コネクタ接続した両ケーブルは外れにくい。
よって、壁配置端子ユニットを簡単に設置でき、さらに接続した接続コネクタが外れて壁配置端子ユニットへの電力が遮断されることが防止される。
【００１２】
同じく請求項３に記載の考案は、前記壁配置端子ユニットの壁取付部材は、前記壁に開設された孔部に挿入される挿入部と、前記挿入部を前記孔部に配置した状態で固定する固定部材を備える。
本考案によれば、壁配置端子ユニットは、壁取付部材が壁に開設された孔部に配置され、固定部材で固定される。
よって、壁配置端子ユニットを壁に容易かつ確実に固定することができる。
【００１３】
同じく請求項４に記載の考案は、前記壁配置端子ユニットは、筒型であり壁面からの露出される側の端面に前記給電ポート部材が１又は２以上配置されていることを特徴とする。
本考案によれば、壁配置端子ユニットが筒型であり、壁面からの露出される側の端面に１又は２以上の給電ポート部材が配置されている。
よって、壁に所望の数の給電ポートを簡単に設置できる。
【００１４】
同じく請求項５に記載の考案は、前記給電ポートは、両面接続型であることを特徴とする。
本考案によれば、給電ポートは、両面接続型である。
よって、給電ポートにＵＳＢコネクタを接続するとき、表裏方向を考慮する必要がなく、接続の手間が省ける。
【考案の効果】
【００１５】
本考案に係るＵＳＢ電源装置によれば、裏側スペースが狭い既存の壁板にも設置でき、設置に電気工事の資格が不要で簡単に設置できるＵＳＢ電源装置を提供できる。
【００１６】
即ち、請求項１に係るＵＳＢ電源装置によれば、壁配置端子ユニットを壁に配置し、壁配置端子ユニットとＡＣ−ＤＣ電源装置とを直流電源ケーブルで接続し、さらにＡＣ−ＣＤ電源装置に交流電源ケーブルを接続し、電源プラグを商用電源の商用電源コンセントに接続すると、商用電源コンセントからの交流商用電力は、交流電源ケーブルでＡＣ−ＤＣ電源装置に入力され、ＵＳＢ規格の直流電力に変換され、さらに直流電源ケーブルで壁配置端子ユニットに入力され、給電ポートから給電ができる状態となる。
よって、既存の壁に壁配置端子ユニットを配置し、壁の裏側スペースにＡＣ−ＤＣ電源装置を配置し、さらに商用電源コンセントに電源プラグを差し込むだけの簡単な操作で、壁にＵＳＢ給電ポートを配置でき、しかもこの取付けには電気工事の資格が不要である。
【００１７】
また、請求項２に記載のＵＳＢ電源装置によれば、狭いスペース若かない既存の壁に壁配置端子ユニットを、長い直流電源ケーブルを引き回すことなく設置できる他、接続コネクタ接続した両ケーブルは外れにくいので、壁配置端子ユニットを簡単に設置でき、さらに接続した接続コネクタが外れて壁配置端子ユニットへの電力が遮断されることが防止される。
【００１８】
また、請求項３に記載のＵＳＢ電源装置によれば、壁配置端子ユニットは、壁取付部材が壁に開設された孔部に配置され、固定部材で固定されるので、壁配置端子ユニットを壁に容易かつ確実に固定することができる。
【００１９】
さらに、請求項４に記載のＵＳＢ電源装置によれば、配置端子ユニットが筒型であり、壁面からの露出される側の端面に１又は２以上の給電ポート部材が配置されているので、壁に所望の数の給電ポートを簡単に設置できる。
【００２０】
そして、請求項５に記載のＵＳＢ電源装置によれば、給電ポートは、両面接続型であるので、給電ポートにＵＳＢコネクタを接続するとき、ＵＳＢコネクタの表裏方向を考慮する必要がなく、接続の手間が省ける。
【図面の簡単な説明】
【００２１】
【図１】本考案の第１実施形態に係る同ＵＳＢ電源装置を示すものであり、（ａ）は同ＵＳＢ電源装置の全体構成を示す模式図、（ｂ）は同ＵＳＢ電源装置の壁配置端子ユニットの側面図、（ｃ）は同壁配置端子ユニットを壁に取付けた状態を示す側面図、（ｄ）は同壁配置端子ユニットをヘッドボードに取付けた状態を示すベッドの斜視図である。
【図２】同ＵＳＢ電源装置の壁配置端子ユニットを示すものであり、（ａ）は正面図、（ｂ）は平面図、（ｃ）は底面図、（ｄ）は背面図、（ｅ）は左側面図、（ｆ）は右側面図、（ｇ）は斜視図である。
【図３】本発明の第２実施形態に係るＵＳＢ電源装置の壁配置端子ユニットを示すものであり、（ａ）は斜視図、（ｂ）は側面図、（ｃ）は同壁配置端子ユニットを壁に取付けた状態を示す側面図である。
【図４】本考案の第３実施形態に係る同ＵＳＢ電源装置を示すものであり、（ａ）は同ＵＳＢ電源装置の全体構成を示す模式図、（ｂ）は同壁配置端子ユニットをヘッドボードに取付けた状態を示すベッドの斜視図である。
【図５】同ＵＳＢ電源装置の壁配置端子ユニットを示すものであり、（ａ）は平面図、（ｂ）は正面図、（ｃ）は壁に取付けた状態を示す側面図、（ｄ）は斜視図である。
【考案を実施するための形態】
【００２２】
本考案を実施するための形態に係るＵＳＢ電源装置を図面に基づいて説明する。
【００２３】
＜第１実施形態１＞
まず、第１実施形態に係るＵＳＢ電源装置について説明する。図１は本考案の第１実施形態に係る同ＵＳＢ電源装置を示すものであり、（ａ）は同ＵＳＢ電源装置の全体構成を示す模式図、（ｂ）は同ＵＳＢ電源装置の壁配置端子ユニットの側面図、（ｃ）は同壁配置端子ユニットを壁に取付けた状態を示す側面図、（ｄ）は同壁配置端子ユニットをヘッドボードに取付けた状態を示すベッドの斜視図、図２は同ＵＳＢ電源装置の壁配置端子ユニットを示すものであり、（ａ）は正面図、（ｂ）は平面図、（ｃ）は底面図、（ｄ）は背面図、（ｅ）は左側面図、（ｆ）は右側面図、（ｇ）は斜視図である。
【００２４】
第１実施形態に係るＵＳＢ電源装置１０は、図１（ａ）に示すように、壁配置端子ユニット２０と、ＡＣ−ＤＣ電源装置であるＡＣアダプタ３０と、を備える。壁配置端子ユニット２０とＡＣアダプタ３０とは直流電源ケーブル４０で接続されている。
【００２５】
ＡＣアダプタ３０には、交流１００Ｖの商用コンセントから交流電源ケーブル６０で商用電力が供給される。このＵＳＢ電源装置１０では、壁配置端子ユニット２０のＵＳＢ給電ポート２４、２５のいずれか、又は両方にＵＳＢケーブル１０１を接続して端末装置１００に給電を行うことができる。
【００２６】
壁配置端子ユニット２０は、図１（ｂ）及び図２に示すように、壁取付け部２１と、この壁取付け部２１の一端側に配置された壁取付けフランジ２２とを備える。壁取付け部２１の内部に給電ポート部材として、両面接続型の２つのＵＳＢ給電ポート２４、２５が配置されている。また、壁取付け部２１は、円筒形の部材であり、壁取付け部２１の外周には雄ねじ部２１ａが形成されている。
【００２７】
壁取付け部２１の雄ねじ部２１ａには、固定部材として、壁への取付け用のナット部材２３をねじ込むことができる。ここで、壁取付け部２１の直径は例えば３６ｍｍ、長さ寸法は例えば４６ｍｍ（図１（ｂ）中「Ｌ」）、壁取付けフランジ２２の直径は４０ｍｍ、厚さは３ｍｍである。
【００２８】
壁取付け部２１を、図１（ｃ）に示すように、壁部材７０に開設した孔部７１に通して、雄ねじ部２１ａにナット部材２３をねじ込んで、壁部材７０をナット部材２３と壁取付けフランジ２２との間に挟み、壁配置端子ユニット２０を壁部材７０に取付け、固定する。
【００２９】
壁配置端子ユニット２０には、直流電源ケーブル４０の接続部材４３が配置される。接続部材４３は、合成樹脂製の部材でありＵＳＢ給電ポート２４、２５の挿入方向から直角に湾曲形成され直流電源ケーブル４０の壁配置端子ユニット側ケーブル４１が壁部材７０に沿って配置できるように、直流電源ケーブル４０を案内する。
【００３０】
ＡＣアダプタ３０は、ＡＣ１００〜２４０Ｖ、５０〜６０Ｈの交流電力を、ＵＳＢインターフェースで定めた直流ＤＣ５Ｖ、３．４Ａに変換するものであり、公知のスイッチング電源等を使用できる。なお、このＡＣアダプタ３０は、出力電流等がより大きなものに交換することができる。
【００３１】
直流電源ケーブル４０は、ＡＣアダプタ３０の直流電力を壁配置端子ユニット２０に伝送する。直流電源ケーブル４０は、壁配置端子ユニット側ケーブル４１と、電源装置側ケーブル４２とを備え、壁配置端子ユニット側ケーブル４１と電源装置側ケーブル４２とは、電源コネクタ５０で接続される。
【００３２】
電源コネクタ５０は、壁配置端子側コネクタ５１と電源装置側コネクタ５２とから構成され、両者を接続することにより、壁配置端子ユニット側ケーブル４１と電源装置側ケーブル４２との電気的な接続を行う。また、壁配置端子側コネクタ５１と電源装置側コネクタ５２とは抜け止め機構を備えている。抜け止め機構は、例えば壁配置端子側コネクタ５１と電源装置側コネクタ５２と接続した状態で、一方を相対的に回転させることにより固定状態となる公知の構成を採用できる。
【００３３】
交流電源ケーブル６０は、ケーブル６１の先端に電源プラグ６２が接続されている。この電源プラグ６２は、一般に壁等に配置される商用電源コンセントに接続できる。
【００３４】
このような、構成のＵＳＢ電源装置１０を設置して、壁配置端子ユニット２０を壁部材７０に配置するには以下の手順による。この例では、壁部材としてベッド８０のヘッドボード８１に壁配置端子ユニット２０を配置する例について説明する。
【００３５】
まず、ヘッドボード８１に孔部７１を形成し、この孔部７１に壁配置端子ユニット２０の壁取付け部２１を通す。この状態で、壁取付けフランジ２２がヘッドボード８１の露出側に配置するものとする。そして、ヘッドボード８１の裏面側からナット部材２３をねじ込み、壁配置端子ユニット２０を壁部材７０に固定する。このとき、壁配置端子側コネクタ５１は、電源装置側コネクタ５２から取り外しておく。
【００３６】
本実施形態では、図１（ｃ）、図２に示すように、直流電源ケーブル４０の壁配置端子ユニット２０への接続部材４３が湾曲しているので、ヘッドボード８１の裏側スペースが狭くても接続部材４３や直流電源ケーブル４０が邪魔になることがない。
【００３７】
そして、壁配置端子側コネクタ５１と電源装置側コネクタ５２とを接続して、抜け止め機構をロック状態とする。そして、ＡＣアダプタ３０を、ベッド８０の裏側に配置して、交流電源ケーブル６０の電源プラグ６２を既存の商用コンセントに接続する。本実施形態に係るＵＳＢ電源装置１０にあっては、ＵＳＢ電源装置１０の設置は、ＡＣアダプタ３０への交流電力の供給は商用コンセントに電源プラグ６２を接続するだけであるので、電気工事の資格を有しない者でも行うことができる。また、ＵＳＢ電源装置１０の設置後、必要に応じて、ＡＣアダプタ３０のより容量の大きなものに交換することができる。
【００３８】
また、壁配置端子ユニット２０には、２つのＵＳＢ給電ポートを配置しているので、２台の端末装置に給電を行うことができる。さらに、ＵＳＢ給電ポート２４、２５として両面接続型のものを使用しているので、利用者が給電ポートにＵＳＢコネクタを接続するとき、表裏方向を考慮する必要がなく、接続の手間が省ける。
【００３９】
以上のように、ＵＳＢ電源装置１０を設置することにより、携帯端末の利用者がＡＣアダプタを持参せずに済むし、また、ホテル等ではＡＣアダプタの貸し出しを行う手間を省くことができる。
【００４０】
なお、壁配置端子ユニット２０は、ヘッドボード８１の他、テーブル、壁、その他の板状部材に取付けることができる。
【００４１】
＜第２実施形態＞
次に本発明の第２実施形態に係るＵＳＢ電源装置について説明する。図３は本発明の第２実施形態に係るＵＳＢ電源装置の壁配置端子ユニットを示すものであり、（ａ）は斜視図、（ｂ）は側面図、（ｃ）は同壁配置端子ユニットを壁に取付けた状態を示す側面図である。
【００４２】
第２実施形態に係るＵＳＢ電源装置は、第１実施形態に係るＵＳＢ電源装置１０の壁配置端子ユニット２０を短いサイズの壁配置端子ユニット９０にしたものである。その他の構成、即ちＡＣアダプタ３０、電源コネクタ５０、交流電源ケーブル６０は第１実施形態のＵＳＢ電源装置１０と同じである。
【００４３】
本実施形態では、図３に示すように、壁配置端子ユニット９０は、ＵＳＢ電源装置１０の壁配置端子ユニット２０の長さ寸法Ｌより短い寸法Ｌ１の壁配置端子ユニット９０を備える。壁配置端子ユニット９０は、壁取付け部９１、雄ねじ部９１ａ、壁取付けフランジ９２、ナット部材９３、ＵＳＢ給電ポート９４、９５を備える。
【００４４】
また、壁配置端子ユニット側ケーブル４１の接続部材４３ａは、第１実施形態の接続部材４３より奥行き寸法が小さいものとしている。なお、壁取付け部９１の直径は例えば３９ｍｍ、長さ寸法は例えば３３ｍｍ（図３（ｂ）中「Ｌ１」：Ｌ＞Ｌ１）、壁取付けフランジ２２の直径は４０ｍｍ、厚さは３ｍｍである。
【００４５】
本実施形態に係る壁配置端子ユニット９０を使用すると、図３（ｃ）に示すように、壁部材７０Ａの裏側に近接して板状部材７２が配置され、壁部材７０Ａの裏側スペースの寸法Ｓが小さい場合であっても、壁配置端子ユニット９０を設置できる。
【００４６】
＜第３実施形態＞
次に本考案の第３実施形態に係るＵＳＢ電源装置について説明する。図４は本考案の第３実施形態に係る同ＵＳＢ電源装置を示すものであり、（ａ）は同ＵＳＢ電源装置の全体構成を示す模式図、（ｂ）は同壁配置端子ユニットをヘッドボードに取付けた状態を示すベッドの斜視図、図５は同ＵＳＢ電源装置の壁配置端子ユニットを示すものであり、（ａ）は平面図、（ｂ）は正面図、（ｃ）は壁に取付けた状態を示す側面図、（ｄ）は斜視図である。
【００４７】
第３実施形態に係るＵＳＢ電源装置１１０は、図４（ａ）に示すように、壁配置端子ユニット１２０と、ＡＣアダプタ３０とを備える。壁配置端子ユニット１２０とＡＣアダプタ３０とは直流電源ケーブル４０で接続されている。ＡＣアダプタ３０には、交流１００Ｖの商用コンセントから交流電源ケーブル６０で商用電力が供給される。このＵＳＢ電源装置１１０では、壁配置端子ユニット１２０のＵＳＢ給電ポート１２４にＵＳＢケーブル１０１を接続して端末装置１００に給電を行うことができる。
【００４８】
本実施形態において、壁配置端子ユニット１２０は、例えば図４（ｂ）に示すように、ベッド８０のヘッドボード８１に配置される操作部８３に配置される。操作部８３には、１００Ｖの商用コンセント８４、液晶操作パネル８５が配置される。本実施形態に係る壁配置端子ユニット１２０は、この、操作部８３の商用コンセントと共に、商用コンセントの取付具を使用して取付けることができる。この取付具は規格化されており、ヘッドボード８１の操作部８３の他、室内の壁等に設置が可能である。
【００４９】
本実施形態に係るＵＳＢ電源装置１１０の壁配置端子ユニット１２０は、図５に示すように、四角筒形の壁取付け部１２１と、この壁取付け部１２１に壁露出側に配置され、ＵＳＢ給電ポート１２４の開口が現れるポートパネル部１２２とを備える。壁取付け部１２１の奥行き寸法は例えば３３ｍｍであり、ポートパネル部１２２は例えば、２３ｍｍ×２８ｍｍの長方形である。ポートパネル部１２２には、壁配置端子ユニット１２０をヘッドボード８１に配置された操作部８３のパネルに取り付けるための張出部１２３が形成されている。
【００５０】
この張出部１２３は、商用コンセントの取付具と同じ規格寸法を備えており、図示していない商用コンセントの取付金具を使用して、張出部１２３を操作部８３のパネルにねじ止めする。これにより、壁配置端子ユニット１２０をヘッドボード８１の操作部８３に、商用コンセント８４と同様に設置できる。よって、操作部８３の外観をすっきりしたものとできる。
【００５１】
また、本実施形態では、電源コネクタ１５０として、壁配置端子側コネクタ１５１として、ＵＳＢオスコネクタ、電源装置側コネクタ１５２としてＵＳＢメスコネクタを採用してる。なお、壁配置端子側コネクタ１５１、電源装置側コネクタ１５２として、実施形態１で説明した抜け止め防止機構付きのものを使用することができる。
【００５２】
そして、本例では、ポートパネル部１２２には、１つのＵＳＢ給電ポート１２４が配置されている。ＵＳＢ給電ポート１２４は、両面接続タイプのものである。なお、ポートパネル部１２２には、ＵＳＢ給電ポートは２個以上配置することができる。
【００５３】
本実施形態に係るＵＳＢ電源装置１１０によれば、壁部の商用コンセントの取付け部にＵＳＢ電源装置の壁配置端子ユニット１２０を特別の工事を必要とせず取付けることができる。また、この取付には電気工事を必要としないので特別の資格を必要としない。
【産業上の利用可能性】
【００５４】
本考案は、裏側スペースが狭い既存の壁板にも設置でき、設置に電気工事の資格が不要で簡単に設置できるので、産業上利用可能である。
【符号の説明】
【００５５】
１０：ＵＳＢ電源装置
２０：壁配置端子ユニット
２１：壁取付け部
２１ａ：雄ねじ部
２２：壁取付けフランジ
２３：ナット部材
２４：給電ポート
２５：給電ポート
３０：ＡＣアダプタ（ＡＣ−ＤＣ電源装置）
４０：直流電源ケーブル
４１：壁配置端子ユニット側ケーブル
４２：電源装置側ケーブル
４３：接続部材
５０：電源コネクタ
５１：壁配置端子側コネクタ
５２：電源装置側コネクタ
６０：交流電源ケーブル
６１：ケーブル
６２：電源プラグ
７０：壁
７１：孔部
７２：板状部材
８０：ベッド
８１：ヘッドボード（壁部材）
【図１】
0003211383.tif 000003
【図２】
0003211383.tif 000004
【図３】
0003211383.tif 000005
【図４】
0003211383.tif 000006
【図５】
0003211383.tif 000007